(57)【要約】      （修正有）【課題】居住空間の拡大と共に物品収納効率の大幅な増加を可能としたロフト付きマンション室内構造を提供する。【解決手段】メイン通路７の側方にロフト部を形成し、ロフト部は、壁面部９，９´と、開放部Ｓと、透視仕切り部１０とにより四面区画を形成すると共に、居室床面より一定の高さにロフト床面ｒを形成し、その下方に物品収納引き出し部１１を設け、透視仕切り部１０の下方に物品収納部１２を形成し、開放部Ｓの端部にメイン通路７に対面した細幅壁部１３を立設し、細幅壁部の下部にメイン通路側ロフト床面の一部を切削して階段空間１４を形成し、階段空間に居室床面からロフト床面にかけて簡易階段１５を設け、更には、ロフト床面には物品出し入れ口１６を開閉自在に設けることによりロフト床面下方空間を物品収納空間とする。【選択図】図１
0003192914.tif 000002
【実用新案登録請求の範囲】
【請求項１】
洗面室、浴室、トイレ、キッチン、居室、物品収納室、メイン通路、玄関などの生活に必要な各種空間を有した一戸のマンション室内にロフト部を形成したロフト付きマンション室内構造において、玄関から居室に伸延したメイン通路の側方にロフト部を形成し、ロフト部は、二面を区画した壁面部と、メイン通路に面して形成した開放部と、開放部の直角面に形成した透視仕切り部とにより四面区画を形成すると共に、居室床面より一定の高さにロフト床面を形成し、その下方にメイン通路に面して出し入れ自在に構成した一段或いは複数段の物品収納引き出し部を設け、透視仕切り部の下方に物品収納部を形成し、直角面に連続する開放部の端部にメイン通路に対面した細幅壁部を立設し、細幅壁部の下部に対応したメイン通路側ロフト床面の一部を切削して階段空間を形成し、階段空間に居室床面からロフト床面にかけて簡易階段を設け、更には、ロフト床面には物品出し入れ口を開閉自在に設けることによりロフト床面下方空間を物品収納空間とし、かかる構成によりロフト床面下方の全空間に物品収納引き出し部と透視仕切り部下方の物品収納部と、ロフト床面に上方から物品の出し入れが可能な物品収納空間とを分担形成し、居住空間の拡大と共に物品収納効率の大幅な増加を可能としたロフト付きマンション室内構造。
【考案の詳細な説明】
【技術分野】
【０００１】
この考案は、物品の収納空間を増大可能とすると共に、居住空間もマンション室内という一定の制約のある中で可及的に広く使えるようにしたロフト部を形成し、しかもロフト空間は安全に使用可能としたロフト付きマンション室内構造に関する。
【背景技術】
【０００２】
従来、いわゆるマンションと言われる居住空間はマンション業者が建築して販売する際、居住空間の大きさ等のタイプによって一定の専有面積を決定し、専有面積の制約の中で区画壁や室内造作を施すことになるため、通常の室内区画や造作のみでは居住空間を有効に利用することができない。
【０００３】
そこで、居住空間の一部にロフトを形成してロフト専有部分は二段空間として上段のロフト床面上方は居住空間や任意の個性的な有益空間とすると共に下段のロフト床面下方は、物品収納空間や居住空間以外の整理スペースとして利用する構造が普及している。
【先行技術文献】
【特許文献】
【０００４】
【特許文献１】実用新案登録第３１６０２６７号公報
【考案の概要】
【考案が解決しようとする課題】
【０００５】
ところが、ロフト付きのマンションにおいては、確かに制約された一定の室内空間を有効に利用できる効果はあるが、ロフト床面は、室内床面より高段に形成し、主に子供用の居住或は遊びスペースとする場合が多いために、ロフト床面から子供が転落する事故を生起するおそれが多く、また、台所やダイニングルーム等から親がロフト上を監視できるように構成していても、やはり、上記事故は発生する。
【０００６】
更には、かかる事故を防止すべく、使用勝手を犠牲にしてロフト部の四面を可及的に扉や柵で囲むことが考えられるが、このようなロフト構造では、子供の自由なロフト空間内行動を制約することになり、不評を買っていた。
【０００７】
また、物品の収納空間形成もロフト床面からの物品出し入れを主体にしたものであるため物品の収納出し入れ作業が行いにくく使い勝手が悪かった。
【課題を解決するための手段】
【０００８】
この考案は、洗面室、浴室、トイレ、キッチン、居室、物品収納室、通路、玄関などの生活に必要な各種空間を有した一戸のマンション室内にロフト部を形成したロフト付きマンション室内構造において、玄関から居室に伸延したメイン通路の側方にロフト部を形成し、ロフト部は、二面を区画した壁面部と、通路に面して形成した開放部と、開放部の直角面に形成した透視仕切り部とにより四面区画を形成すると共に、居室床面より一定の高さにロフト床面を形成し、その下方に通路に面して出し入れ自在に構成した一段或いは複数段の物品収納引き出し部を設け、透視仕切り部の下方に物品収納部を形成し、直角面に連続する開放部の端部に通路に対面した細幅壁部を立設し、細幅壁部の下部に対応した通路側ロフト床面の一部を切削して階段空間を形成し、階段空間に居室床面からロフト床面にかけて簡易階段を設け、更には、ロフト床面には物品出し入れ口を開閉自在に設けることによりロフト床面下方空間を物品収納空間とし、かかる構成によりロフト床面下方の全空間に物品収納引き出し部と透視仕切り部下方の物品収納部と、ロフト床面に上方から物品の出し入れが可能な物品収納空間とを分担形成し、居住空間の拡大と共に物品収納効率の大幅な増加を可能としたロフト付きマンション室内構造を提供するものである。
【考案の効果】
【０００９】
この考案によれば、ロフト部に関して、二面を区画した壁面部と、通路に面して形成した開放部と、開放部の直角面に形成した透視仕切り部とにより四面区画を形成すると共に、居室床面より一定の高さにロフト床面を形成し、その下方にメイン通路に面して出し入れ自在に構成した一段或いは複数段の物品収納引き出し部を設け、透視仕切り部の下方に物品収納部を形成し、直角面に連続する開放部の端部にメイン通路に対面した細幅壁部を立設し、細幅壁部の下部に対応したメイン通路側ロフト床面の一部を切削して階段空間を形成し、階段空間に居室床面からロフト床面にかけて簡易階段を設け、更には、ロフト床面には物品出し入れ口を開閉自在に設けることによりロフト床面下方空間を物品収納空間とより構成しているので、ロフト部は居室床面を同じ広さとして居住空間に利用でき、例えば、子供用の生活空間としたり、雰囲気の異なる居住空間としたり、居室床面から浮上したロフト床面位置にベッドなどを設置して寝室などの安楽空間とすれば衛生、健康上から身体を護りながら睡眠や日常生活を快適に過ごすことができる効果がある。
【００１０】
更には、ロフト部は、二面を区画した壁面部と、メイン通路に面して形成した開放部と、開放部の直角面に形成した透視仕切り部とにより四面区画を形成しているので、開放部が通路と一体となり開放部の解放感を一層増大させることができ、ロフト空間を更に広く実感させる効果があり、また、透視仕切り部がダイニングルームなどの居室に面しているので透視仕切り部からロフト部で遊ぶ子供たちを目視で監視できると共に、メイン通路に面した開放部からもこれらの監視をすることができ、特に開放部に面する方向にキッチンや談話用空間を設置することにより日常生活の中で必ずロフト部の内部を視界に入れて子供たちの監視ができてより安全な暮らしを実感させる効果があり、かかる構造のマンションの販売に際してのセールストークとなりマンションの売り上げ向上にも貢献することができる効果がある。
【００１１】
また、直角面に連続する開放部の端部にメイン通路に対面した細幅壁部を立設し、細幅壁部の下部に対応したメイン通路側ロフト床面の一部を切削して階段空間を形成し、階段空間に居室床面からロフト床面にかけて簡易階段を設けたので、居室、例えばダイニングルームから直接にロフト空間に簡易階段を利用して移動することができる効果がある。
【００１２】
また、ロフト床面の下方にメイン通路に面して出し入れ自在に構成した一段或いは複数段の物品収納引き出し部を設けたので、子供たちがロフト部で生活したり、遊んだりする場合に誤って転落する事故を防止するために予め状況に応じて物品収納引き出し部を通路側に段階的に引き出しておけば子供たちが直接に通路面に転落する事故を防止することができる効果がある。
【００１３】
また、ロフト床面下方の全空間に物品収納引き出し部と、透視仕切り部下方の物品収納部と、ロフト床面に上方から物品の出し入れが可能な物品収納空間と、を分担形成して居住空間の拡大と共に物品収納効率の大幅な増加を可能としたので、ロフト部を単なる居住床面の拡大機能だけではなく物品の大幅な収納空間を増加でき、しかも、物品の出し入れを通路側からや居室側からやロフト部床面側からのように各種の場所から行うことができ日常生活の利便性に大きく貢献することができる効果がある。
【図面の簡単な説明】
【００１４】
【図１】本考案のロフト付きマンション室内構造の全体の斜視図
【図２】本考案を含むマンション室内の全体を示す平面説明図
【図３】図２Ｉ−Ｉ線の断面図
【図４】他の実施例を示す斜視図
【図５】他の実施例を含むマンション室内の全体を示す平面説明図
【図６】他の実施例を含むマンション室内の全体を示す平面説明図
【図７】他の実施例を示す斜視図
【図８】他の実施例を示す斜視図
【考案を実施するための形態】
【００１５】
この考案の実施例を図面に基づき詳説する。
【００１６】
この考案は、洗面室１、浴室２、トイレ３、キッチン４、居室５、物品収納室６、メイン通路７、玄関８などの生活に必要な各種空間を有した一戸のマンション室内Ｍにロフト部Ｒを形成したロフト付きマンション室内構造において、玄関８から居室５に伸延したメイン通路７の側方にロフト部Ｒを形成し、ロフト部Ｒは、二面を区画した壁面部９，９´と、メイン通路７に面して形成した開放部Ｓと、開放部Ｓの直角面に形成した透視仕切り部１０とにより四面区画を形成すると共に、居室床面５´より一定の高さにロフト床面ｒを形成し、その下方にメイン通路７に面して出し入れ自在に構成した一段或いは複数段の物品収納引き出し部１１を設け、透視仕切り部１０の下方に物品収納部１２を形成し、直角面に連続する開放部Ｓの端部にメイン通路７に対面した細幅壁部１３を立設し、細幅壁部１３の下部に対応したメイン通路７側ロフト床面ｒの一部を切削して階段空間１４を形成し、階段空間１４に居室床面５´からロフト床面ｒにかけて簡易階段１５を設け、更には、ロフト床面ｒには物品出し入れ口１６を開閉自在に設けることによりロフト床面ｒ下方空間を物品収納空間１７とし、かかる構成によりロフト床面ｒ下方の全空間に物品収納引き出し部１１と透視仕切り部１０下方の物品収納部１２と、ロフト床面ｒに上方から物品の出し入れが可能な物品収納空間１７とを分担形成し、居住空間の拡大と共に物品収納効率の大幅な増加を可能としたロフト付きマンション室内構造に関する。以下、本考案の実施例について具体的に詳説する。
【００１７】
図１は、本考案の全体を示した斜視図であり、図２は、本考案を含むマンション室内の全体を示す平面図である。
【００１８】
図２に示すように、マンション室内Ｍは玄関に連通したメイン通路７を中心にしてその左右側及びその突き当りに生活に必要な空間が配設されている。
【００１９】
すなわち、メイン通路７の左右側には、洗面室１、浴室２、トイレ３、物品収納室６、ロフト部Ｒが配設されており、メイン通路７の突き当りには、居室５及びキッチン４が配設されている。
【００２０】
このようにロフト部Ｒの位置は、メイン通路の終端左側に配設されて、居室５やキッチン４に面して目視でロフト部Ｒの内部が監視できるように構成されている。
【００２１】
本考案の要旨となるロフト部Ｒについて説明する。
図１に示すように、ロフト部Ｒはメイン通路７に面した部分を開放部Ｓとしており、メイン通路７と連通した空間となっており、開放部Ｓの左側面と奥面には略Ｌ字状の二面を区画した壁面部９，９´が形成されている。
【００２２】
開放部Ｓの右側面にはメイン通路７側から順に簡易階段１５、細幅壁部１３、透視仕切り部１０が設けられている。
【００２３】
簡易階段１５は、メイン通路７側のロフト床面ｒの一部を切削して階段空間１４を形成し、その階段空間１４に簡易階段１５を居室床面５´とロフト床面ｒとの間に介設している。
【００２４】
透視仕切り部１０は、ロフト床面ｒ上に透明ボード（ガラス又はアクリル樹脂などで形成）を張設してロフト床面ｒの側端縁の仕切りを形成している。
【００２５】
しかも、透視仕切り部１０はダイニング室などの居室５からロフト部Ｒを透視できるように区画形成されており、居室５などからロフト部Ｒ内の子供達の動きを監視できるように構成されている。
【００２６】
簡易階段１５と透視仕切り部１０との間には、メイン通路７に面して細幅壁部１３が立設されており、透視仕切り部１０を構成するガラス枠などの支持をするため支柱的機能を果たすと共に、簡易階段１５の側方を区画して階段を乗降する際の安全柵の機能を果たし、更には細幅壁部１３の表面は石盤積層面としてロフト部Ｒの一角に立設して装飾的雰囲気を発揮するように構成されている。
【００２７】
図３に示すように、ロフト部Ｒのロフト床面ｒには物品出し入れ口１６を形成し、ロフト床面ｒ下方の室内は物品収納空間１７としている。
【００２８】
すなわち、ロフト床面ｒの下方には、ロフト部Ｒの下段空間が形成されるのでこれをメインの物品収納空間１７として物品の収納に必要な有効空間としている。
なお、必要に応じて物品収納空間１７中には、収納区画１８を形成して収納物の整理がしやすいように構成する。
【００２９】
ロフト部Ｒの開放部Ｓの下方、すなわちロフト床面ｒのメイン通路７側端縁には、物品収納引き出し部１１を形成している。
【００３０】
すなわち、ロフト床面ｒ下方のメイン通路７側空間には、複数個の引き出しケース１１´を上下２段、或いは１段として収納引出自在に設けている。
【００３１】
すなわち、メイン通路７側に引き出し可能に構成しており、従って、ロフト床面ｒから子どもが転落することを予防するためにメイン通路７上方に予め引き出しケース１１´を１部引き出しておき、ロフト床面ｒの拡張を行うことができ、拡張不要の時にはロフト床面ｒ下方空間に収納しておく。
【００３２】
このように、物品収納引き出し部１１を単なる物品引出機能に用いるのみならずメイン通路７上方にまで引き出しケース１１´を引き出してロフト床面ｒの拡張を行い、ロフト部Ｒで遊ぶ子供の転落事故を可及的に減少することができるようにしている。
【００３３】
なお、必要に応じて引き出しケース１１´の上方開口面には蓋体１１’’を取外し自在或は開閉自在に設けることができ、蓋体１１’’を引き出しケース１１´上方開口面を閉塞して張設すれば、ロフト床面ｒの更なる拡張機能を向上することができる効果がある。
【００３４】
また、透視仕切り部１０の下方には、ロフト床面ｒ下方空間に物品収納部１２としており、全面には扉体１２´を開閉自在に設けて、物品の出し入れを可能としている。
【００３５】
以上のように、ロフト床面ｒの下方空間には物品収納空間１７と物品収納引き出し部１１と物品収納部１２の三か所が物品収納の空間として用いられており、ロフト部Ｒの下段を可能な限り物品収納空間として機能させることができる効果を奏する。
【００３６】
更には、ロフト部Ｒの内部は、開放部Ｓと透視仕切り部１０を介して、キッチン４や居室５のいずれからも透視確認することができるため、ロフト部Ｒを子供専用の遊戯空間や居住空間として用いる場合に子供の動きを監視できる。
【００３７】
特に、キッチン４やメイン居室５−１には開放部Ｓが面しており、付属居室５−２には透視仕切り部１０が面しているため、ロフト部Ｒの内部の監視を室内の居住空間から常時行えるため安全なマンション空間を呈擁することができる。
【００３８】
また、図４は、他の実施例を示す斜視図であり、図５は、他の実施例を含むマンション室内の全体を示す平面説明図である。
【００３９】
すなわち、図４のロフト付きマンション構造の他の実施例は前述のマンション構造と同様に洗面室１、浴室２、トイレ３、キッチン４、メイン居住５−１、付属居室５−２、物品収納室６、メイン通路７、玄関８などの生活に必要な各種空間を有している。
【００４０】
また、かかる室内空間には、居室５に面したロフト部Ｒ´を形成しており、かかるロフト部Ｒ´は付属居室５−２に面した開放部Ｓ´と、開放部Ｓ´に直角面で連続する飾り壁部２１と飾り壁部２１に設けたメイン居室５−１に面する出入口２０及び透明仕切り部３０とロフト床面ｒ´の下方に形成した物品収納空間１７とより構成されている。
【００４１】
更に、開放部Ｓ´には、ロフト床面ｒ´の外側端縁に一定の高さ、例えば、子供が乗り越えられない高さで透明の仕切り部２２を立設しており、また、仕切り部２２の下方、すなわち、物品収納空間１７の付属居室５−２側端縁部には、引き戸式の扉体２３を設けており、この扉体２３を開閉することによりロフト床面ｒ´下方の物品収納空間１７への物品の出し入れ収納が可能としている。
【００４２】
また、飾り壁部２１の出入口２０は、飾り壁部２１の端側に設けられており、その下方には、居室側に位置する出入り用階段２４が設けられている。
【００４３】
従って、他の実施例ではロフト部Ｒ´への出入りは、居室側から出入り用階段２４を介して行われ、ロフト床面ｒ´の下方の物品収納空間には、扉体２３の開閉により物品が収納自在であり、他方、必要に応じてロフト床面ｒ´の一部に物品収納開閉板を形成しておけば、ロフト部Ｒ´からもその下方の空間へ物品出し入れが自在に行える。
【００４４】
他の実施例のロフト付きマンション室内構造においては、メイン居室５−１や付属居室５−２から開放部Ｓ´や透明仕切り部３０を介して目視でロフト部Ｒ´における子供の動きを監視することができ、また、物品収納空間１７への物品の出し入れがロフト部Ｒ´の開放部Ｓ´下方から出し入れが可能となり、物品出し入れ作業の簡略化と物品の収納空間の増大をはかることができる。
【００４５】
また、ロフト部Ｒ´の奥部には、子供用の段ベッド４０を形成することが可能であり、ベッド用階段４１を設けることにより、子供の居住空間を更に有効に使用することができるようにすると共に、段ベッド４０は、ロフト部Ｒ´の開放部Ｓよりも奥方向の位置に形成するために子供の生活安全をはかることもできる。
【００４６】
また、図６、図７は、他の実施例であり、ロフト部Ｒ´の下方に形成した物品収納空間１７を、ロフト部Ｒ´の前後方向に形成した二つの室空間通路兼用に形成するものである。
【００４７】
すなわち、図６のマンション室内の平面配置図において、ロフト部Ｒ´の一方側には子供部屋５１を隣接して設け、他方側には居室５を隣接して設け、ロフト部Ｒ´の上下段空間が子供部屋５１と居室５との間に挟まれた状態としており、しかも図７に示すように、ロフト部Ｒ´と子供部屋５１との仕切り壁５２、ロフト部Ｒ´の下方に形成した物品収納空間１７´と子供部屋５１との仕切り壁５２、及びロフト部Ｒ´の下方に形成した物品収納空間１７´と居室５との間にそれぞれウォークスルーWTを設けている。
【００４８】
なお、図８のように、ロフト部Ｒ´下段の物品収納空間１７´の一側方に仕切り壁がなく隣接空間との間が開放されて連通している場合は特にウォークスルーWTを形成する必要はない。
【００４９】
このように、隣室との仕切り壁５２下方にウォークスルーWTを形成することにより、ロフト部Ｒ´の下段の空間は物品収納空間として機能する以外にウォークスルーWTを介した隣接空間との通路としても機能することとなり、ロフト部Ｒ´が上下二層区画空間として狭いマンション室内の有効利用を行い得る機能を果すこと以外にも、一方と他方の隣接空間を結ぶ通路機能を果すことにもなり、マンション室内空間の有効利用効率を更に向上することができる。
【００５０】
なお、ウォークスルーWTを形成する隣接空間との仕切り壁位置等は、ロフト部Ｒ´の配設位置やロフト部Ｒ´の利用形態によって様々異なる。
【００５１】
従って、仕切り壁に形成するウォークスルーWTの形成位置も、隣接空間との有効通路機能及びその他の物品収納等の機能との兼ね合いのもとにこれらの機能を最大限に発揮し得る条件下で決定される。
【符号の説明】
【００５２】
１    ：洗面室
２    ：浴室
３    ：トイレ
４    ：キッチン
５    ：居室
５´  ：居室床面
５−１：メイン居室
５−２：付属居室
６    ：物品収納室
７    ：メイン通路
８    ：玄関
９，９´：壁面
１０  ：透視仕切り部
１１  ：物品収納引き出し部
１１´：引き出しケース
１２  ：物品収納部
１２´：扉体
１３  ：細幅壁部
１４  ：階段空間
１５  ：簡易階段
１６  ：物品出し入れ口
１７,１７´：物品収納空間
１８  ：収納区画
２０  ：出入り口
２１  ：飾り壁部
２２  ：仕切り部
２３  ：扉体
２４  ：出入り用階段
３０  ：透明仕切り部
４０  ：段ベッド
４１  ：ベッド用階段
５１  ：子供部屋
Ｍ    ：マンション室内
Ｒ，Ｒ´：ロフト部
ｒ，ｒ´：ロフト床面
Ｓ，Ｓ´：開放部
WT    ：ウォークスルー
【図１】
0003192914.tif 000003
【図２】
0003192914.tif 000004
【図３】
0003192914.tif 000005
【図４】
0003192914.tif 000006
【図５】
0003192914.tif 000007
【図６】
0003192914.tif 000008
【図７】
0003192914.tif 000009
【図８】
0003192914.tif 000010